(57)【要約】【課題】  組み立ての容易な保冷力を有する折り畳み式包装箱を提供する。【解決手段】  折り畳み式包装箱は、製品を支持する底板部、前記底板部から折曲可能に延長されて地面に対して垂直に配置された側板部、及び側板部と一体に備えられた上板部を含む。側板部は係溝を備え、製品を収納するための収納空間を形成する。上板部は収納空間を密閉及び開放するように開閉可能に備えられ、遮断板と外部上板を備える。遮断板は底板部と向き合うように配置され、収納空間を下部収納空間と上部収納空間に分離区画し、係溝に挿入されて遮断板が底板の方に垂れることを防止する係突起を備える。外部上板は遮断板の上側で遮断板と向き合うように配置され、上部収納空間を密閉及び開放するために側板部の内側に差し込まれる差し込み片を備える。【選択図】      図１
2017200841.tif 000002
【特許請求の範囲】
【請求項１】
製品を支持する底板部と、
前記底板部から折曲可能に垂直方向に延長され、係溝を備え、前記製品を収納するための収納空間を形成する側板部と、
前記側板部と一体に形成され、前記収納空間を開閉可能に備えられる上板部と、を含み、
前記上板部は、
前記底板部と向き合って、前記収納空間を下部収納空間と上部収納空間に分離し、前記係溝に挿入されて前記底板に向かって垂れることを防止するための係突起を備える遮断板と、
前記遮断板の上側から前記遮断板と向き合って、前記上部収納空間を開閉するために一端部に前記側板部の内側に差し込まれる差し込み片を備える外部上板と、
前記外部上板と前記遮断板との間に前記遮断板と向き合うように配置され、前記上部収納空間を密閉する第１内部上板と、
前記第１内部上板の一部分が切開されて形成され、前記第１内部上板と連結された部分が折曲可能に備えられた取っ手片と、
前記取っ手片を外部に引き出すために前記外部上板の一部分が切開されて形成され、前記外部上板と連結された部分が折曲可能に備えられて前記上部収納空間を開閉可能に備えられた第１放熱片と、
前記側板部から折曲可能に延長され、前記第１内部上板と前記外部上板との間に配置されて前記上部収納空間を密閉する第２内部上板と、
前記第１放熱片に対応する位置に備えられ、前記取っ手片を外部に引き出すために前記第２内部上板の一部分が切開されて形成され、前記内部上板と連結された部分が折曲可能に備えられて開閉可能な第２放熱片と、
前記側板部は、
それぞれ前記底板部から折曲可能に垂直方向に延長された第１、第２、第３、及び第４側板と、
前記第４側板の一側端部から折曲可能に延長され、前記係溝を備え、前記第１側板の内面に結合される結合片と、を含み、
前記第１内部上板と前記遮断板、及び前記外部上板は、それぞれ前記第１側板と前記第２側板、及び前記第４側板から折曲可能に延長され、
前記第１放熱片は、前記上部収納空間の温度を維持するために前記取っ手片が外部に引き出された状態で前記外部上板に更に差し込まれ、
前記遮断板は、前記第１内部上板と前記外部上板との間に介在されて前記遮断板の位置を固定するための固定片を更に備え、
前記第２放熱片は、前記上部収納空間の温度を維持するために、前記取っ手片が外部に引き出された状態で前記第２内部上板に更に差し込まれ、
前記固定片は、前記第２内部上板と前記外部上板との間に介在されて組み立てることができることを特徴とする折り畳み式の包装箱。
【請求項２】
前記遮断板は互いに向き合う第１及び第２端部が前記上部収納空間を形成するために上側に折曲されて配置され、
前記遮断板の第１端部は前記側板部と連結され、
前記遮断板の第２端部は前記差し込み片に対向して配置されることを特徴とする請求項１に記載の折り畳み式包装箱。
【発明の詳細な説明】
【技術分野】
【０００１】
本発明の実施例は製品を収納し得る折り畳み式包装箱に関するものであり、より詳しくは、製品を収納し移動及び積載し得る折り畳み式包装箱に関するものである。
【背景技術】
【０００２】
包装箱は、製品を収納して製品の損傷を防止し、デコレーション効果のために使用される。産業が発展するにつれ、多様な製品が生産されることで多様な包装箱が製造されている。
【０００３】
一般に、ケーキ屋さんなどでケーキを包装して販売するために常用されているケーキ包装箱は、紙材質で形成された折り畳み式包装箱を主に使用している。このようなケーキ包装箱は、折り畳み式で組み立てられるため保管及び組み立てが容易である。しかし、従来のケーキ包装箱は内部に一つの収納空間を備えるため、ケーキのみ内部に収納することができ、一緒に収納されるべきナイフやキャンドルのような付属品は別途の袋に入れて別に包装しなければならないわずらわしさがあった。
【０００４】
特に、一般のケーキとは異なって、アイスクリームケーキは冷気を提供するドライアイスと共に包装されるべきであって、包装箱が放熱状態を維持すべきである。従来のアイスクリームケーキ用包装箱には内部にドライアイスを収納する別途の空間がなく、一つの収納空間の中にアイスクリームケーキとドライアイスを一緒に包装すべきであった。また、アイスクリームケーキ用包装箱は放熱のために紙ではなく発泡スチロール材質で形成されるため、保管が難しく、これを保管するための空間も大きく占めていた。更に、従来のアイスクリームケーキ用包装箱は、その材質的特性上、把持するための取っ手を備えないため、包装の際に把持するための別途の紐を箱に締めるべきであった。このため、作業者の包装効率が低下し、包装時間が増加していた。
【発明の概要】
【発明が解決しようとする課題】
【０００５】
本発明の実施例は、組み立てを介して内部の収納空間を上下に安定的に分離区画してそれぞれ別途の製品を収納することができ、発泡スチロール包装箱に代わって保冷力を有する折り畳み式包装箱を提供するのにその目的がある。
【課題を解決するための手段】
【０００６】
前記目的を達成するための本発明の一実施例による折り畳み式包装箱は、製品を支持する底板部、前記底板部から折曲可能に垂直方向に延長され、係溝を備え、前記製品を収納するための収納空間を形成する側板部と、前記側板部と一体に形成され、前記収納空間を密閉開閉可能に備えられる上板部と、を含む。ここで、前記上板部は、前記底板部と向き合って、前記収納空間を下部収納空間と上部収納空間に分離し、前記係溝に挿入されて前記底板に向かって垂れることを防止するための係突起を備える遮断板と、前記遮断板の上側から前記遮断板と向き合って、前記上部収納空間を開閉するために一端部に前記側板部の内側に差し込まれる差し込み片を備える外部上板と、を含む。
【０００７】
本発明の実施例によると、前記上板部は、前記外部上板と前記遮断板との間に前記遮断板と向き合うように配置され、前記上部収納空間を密閉する第１内部上板と、前記第１内部上板の一部分が切開されて形成され、前記第１内部上板と連結された部分が折曲可能に備えられた取っ手片と、前記取っ手片を外部に引き出すために前記外部上板の一部分が切開されて形成され、前記外部上板と連結された部分が折曲可能に備えられて前記上部収納空間を開閉可能に備えられた第１放熱片と、を更に含む。
【０００８】
本発明の実施例によると、前記第１放熱片は前記上部収納空間の温度を維持するために前記取っ手片が外部に引き出された状態で前記外部上板に更に差し込まれる。
本発明の実施例によると、前記遮断板は、前記第１内部上板と前記外部上板との間に介在されて前記遮断板の位置を固定するための固定片を更に備える。
【０００９】
本発明の実施例によると、前記遮断板は互いに向き合う第１及び第２端部が前記上部収納空間を形成するために上側に折曲されて配置され、前記遮断板の第１端部は前記側板部と連結され、前記遮断板の第２端部は前記差し込み片に対向して配置される。ここで、前記固定片は前記遮断板の第２端部から延長される。
【００１０】
本発明の実施例によると、前記側板部は、それぞれ前記底板部から折曲可能に垂直方向に延長された第１、第２、第３、及び第４側板と、前記第４側板の一側端部から折曲可能に延長され、前記係溝を備え、前記第１側板の内面に結合される結合片と、を含む。ここで、前記第１内部上板と前記遮断板、及び前記外部上板は、それぞれ前記第１側板と前記第２側板、及び前記第４側板から折曲可能に延長される。
【００１１】
本発明の実施例によると、前記上板部は、前記第３側板から折曲可能に延長され、前記第１内部上板と前記外部上板との間に配置されて前記上部収納空間を密閉する第２内部上板と、前記第１放熱片に対応する位置に備えられ、前記取っ手片を外部に引き出すために前記第２内部上板の一部分が切開されて形成され、前記内部上板と連結された部分が折曲可能に備えられて開閉可能な第２放熱片と、更に含む。
【００１２】
本発明の実施例によると、前記第２放熱片は前記上部収納空間の温度を維持するために前記取っ手片が外部に引き出された状態で前記第２内部上板に更に差し込まれ、前記固定片は前記第２内部上板と前記外部上板との間に組み立てられる。
【発明の効果】
【００１３】
上述したような本発明の実施例によると、折り畳み式包装箱は、内部の収納空間を上部と下部の２つの収納空間に分離区画する遮断板を備えることで、複数の製品を製品の特性に応じて分離して収納することができる。特に、折り畳み式包装箱は、下部収納空間にはケーキやアイスクリームケーキのような主製品を収納し、キャンドルやナイフ、またはドライアイスのような付属品は主製品とは別に上部収納空間に収納することができる。特に、アイスクリームケーキのような製品はドライアイスのような温度調節部材が上側に配置されることが冷気を効率的に提供することができ、上部収納空間には下部収納空間と上板部との間に空気層が形成され、下部収納空間の内部に外部の空気が直接流入されることを遮断することで、保冷効果を持続することができる。これによって、製品を長時間低温に維持することができるため、折り畳み式包装箱は冷蔵または冷凍製品を最適の状態で包装及び保管することができる。
【００１４】
また、本発明の折り畳み式包装箱は、折り畳み方式によって組み立てられるため、分解と組み立てが容易で、摺綴保管が容易である。
また、折り畳み式包装箱は別途の接着部材なしに遮断板の位置を安定的に固定することができるため、組み立て性及び組み立て効率を向上し、製品の包装時間を短縮することができる。
【００１５】
また、折り畳み式包装箱は取っ手片と第１及び第２放熱片を備えることで、組み立てが完了された状態で外部上板を開放することなく取っ手片を外部に容易に引き出すことができる。これによって、別途の紐のような部材を追加に備えることなく使用者が折り畳み式包装箱を把持することができるため、製品包装後の運搬が容易で、包装作業の効率を向上させ、包装時間を短縮することができる。
【００１６】
更に、折り畳み式包装箱は取っ手片が外部に引き出された状態で第１及び第２放熱片を利用して外部上板と第２内部上板を密閉することができるため、上部収納空間の放熱効率を向上することができる。これによって、上部収納空間にドライアイスのように冷気を提供する部材を収納する場合、冷気を失うことを防止することができるため、アイスクリームケーキのように温度に敏感な製品を最適の状態で包装及び保管することができる。
【００１７】
また、折り畳み式包装箱は組み立て方式によっては取っ手片を外部に引き出さなくてもよいため、折り畳み式包装箱に製品を包装した状態で積載及び保管が容易である。
【図面の簡単な説明】
【００１８】
【図１】本発明の一実施例による折り畳み式包装箱を説明する概略的な展開図である。
【図２】図１に示した折り畳み式包装箱の組み立ての一例を説明する概略的な斜視図である。
【図３】図２に示した折り畳み式包装箱を説明する概略的な縦断面図である。
【図４】図２に示した折り畳み式包装箱の組み立て過程を説明する斜視図である。
【図５】図２に示した折り畳み式包装箱の組み立て過程を説明する斜視図である。
【図６】図２に示した折り畳み式包装箱の組み立て過程を説明する斜視図である。
【図７】図１に示した折り畳み式包装箱の組み立ての他の一例を説明する概略的な斜視図である。
【図８】図７に示した折り畳み式包装箱の組み立て過程を説明する斜視図である。
【図９】図７に示した折り畳み式包装箱の組み立て過程を説明する斜視図である。
【図１０】本発明の他の実施例による折り畳み式包装箱を説明する概略的な展開図である。
【発明を実施するための形態】
【００１９】
以下、本発明の実施例を添付した図面を参照して詳細に説明する。しかし、本発明は後述する実施例に限って構成されるべきではなく、これとは異なる様々な他の形態に具体化されてもよい。下記実施例は、本発明が完全に完成されるように提供されるというより、本発明の技術分野の熟練した当業者に本発明の範囲を十分に伝達するために提供される。
【００２０】
本発明の実施例において、一つの要素が他の要素の上に配置される、または連結されると説明される場合、前記要素は前記他の一つの要素の上に直接配置されるか連結されてもよく、他の要素がこれらの間に介在されてもよい。これとは異なって、一つの要素が他の一つの要素の上に直接配置されるか連結されると説明される場合、それらの間にはまた他の要素は存在しない。多様な要素、組成、領域、層及び／または部分のような多様な項目を説明するために第１、第２、第３などの用語が使用されるが、前記項目がこれらの用語によって限られることはない。
【００２１】
本発明の実施例で使用された専門用語は、単に特定実施例を説明するための目的で使用されるものであって、本発明を限定するためのものではない。また、特に限定されない限り、技術及び科学用語を含む全ての用語は本発明の技術分野における通常の知識を有する当業者に理解される同じ意味を有する。通常の辞書で限定されるような前記用語は、関連技術と本発明の説明の文脈においてそれらの意味と一致する意味を有すると解析され、明確に限定されない限り、理想的にまたは過度に外形的な直感で解析されることはない。
【００２２】
本発明の実施例は、本発明の理想的な実施例の概略的な図解を参照して説明される。これによって、前記図解の形状からの変化、例えば、製造方法及び／または許容誤差の変化は十分に予想可能なものである。よって、本発明の実施例は図解として説明された領域の特定形状に限られたように説明されるのではなく、形状における偏差を含むものであって、図面に説明された要素は概略的なものであり、これらの形状は要素の正確な形状を説明するためのものではなく、また本発明の範囲を限定しようとするものでもない。
【００２３】
図１は本発明の一実施例による折り畳み式包装箱を説明する概略的な展開図であり、図２は図１に示した折り畳み式包装箱の組み立ての一例を説明する概略的な斜視図である。
図１及び図２を参照すると、本発明の一実施例による折り畳み式包装箱４００は内部に製品を収納して移動するための包装箱であって、複数の製品を互いに異なる収納空間に収納して包装することができ、折り畳み式に備えられて組み立てが容易である。特に、前記折り畳み式包装箱４００は、一般ケーキやアイスクリームケーキのようにナイフやキャンドルのような別途の付属品またはドライアイスのような温度調節用部材と共に包装すべき製品を収納するのに容易である。
【００２４】
特に、前記折り畳み式包装箱４００は、図１に示したように組み立てる前には構成要素が一体に供えられて一つのプレート状を成し、組み立てた後には図２に示したように箱状を成す。
【００２５】
本発明の一実施例において、前記折り畳み式包装箱４００は紙材質またはＰＥＴ合成材質などで形成される。
前記折り畳み式包装箱４００は、製品を支持する底板１００と前記製品を収納するための収納空間を形成する側板部２００、そして前記収納空間を密閉する上板部３００を含む。
【００２６】
前記底板部１００は、図１に示したように互いに分離切開された４枚の板を供えるが、前記４枚の板が互いに組み立てられて前記折り畳み式包装箱４００の底を形成する。
前記側板部２００は前記底板部１００と一体に備えられ、下端部が前記底板部１００に連結される。前記側板部２００は前記底板部１００から折曲可能に延長され、組み立ての際に地面に対して垂直に配置されて、柱状に組み立てられる。
【００２７】
前記側板部２００の上端部は前記上板部３００に連結され、前記上板部３００は前記側板部２００と一体に備えられる。前記上板部３００は前記収納空間を密閉及び開放するように開閉可能に備えられ、前記収納空間を２つの収納空間に分離区画する。ここで、前記折り畳み式包装箱４００に収納される製品は、前記上板部３００を介して前記収納空間に搬入及び搬出される。
【００２８】
以下、図面を参照して、前記側板部２００と前記上板部３００の構成について詳しく説明する。
図３は図２に示した折り畳み式包装箱を説明する概略的な縦断面図であり、図４乃至図６は図２に示した折り畳み式包装箱の組み立て過程を説明する斜視図である。
【００２９】
図１及び図４を参照すると、前記側板部２００は、それぞれ前記底板部１００から折曲可能に延長された第１、第２、第３、及び第４側板２１０、２２０、２３０、２４０、及び前記第４側板２４０の一側端部から折曲可能に延長された結合片２５０を備える。
【００３０】
詳しくは、前記第１乃至第４側板２１０、２２０、２３０、２４０は図１に示したように地面に対して垂直方向に順次に連続配置され、互いに連結された２枚の側板は連結された部分が折曲可能に備えられる。
【００３１】
前記結合片２５０は図４に示したように第１側板２１０の内面に結合されるが、その結果、前記第１乃至第４側板２１０、２２０、２３０、３４０が柱状を成して前記収納空間を形成する。
【００３２】
図４に示したように、前記底板部１００の組み立てと前記側板部２００の組み立てが完了されると、前記上板部３００の組み立てが行われる。
前記上板部３００は、前記第１乃至第４側板２１０、２２０、２３０、２４０の上端部と連結される。前記上板部３００は、前記折り畳み式包装箱４００内部空間を２つの収納空間に分離区画するための遮断板３１０、及び前記折り畳み式包装箱４００の内部を密閉及び開放するための外部上板３４０を備える。
【００３３】
図３に示したように、前記遮断板３１０は前記第２側板２２０から折曲可能に延長され、前記底板部１００と向き合うように配置されて前記折り畳み式包装箱４００の収納空間を上下に配置された２つの収納空間に分離区画する。以下、説明の便宜上、前記遮断板３１０を基準に前記遮断板３１０の上側に設けられた収納空間を上部収納空間といい、前記遮断板３１０の下側に設けられた収納空間を下部収納空間という。
【００３４】
詳しくは、前記遮断板３１０は互いに対向する第１及び第２端部にそれぞれ接線３１２が形成され、前記接線３１２によって前記遮断板３１０の第１及び第２端部が上側に折曲されて前記上部収納空間を形成する。この際、前記遮断板３１０の第１端部は前記第２側板２２０に連結され、前記遮断板３１０の第２端部は図３に示したように前記第２側板２２０と向き合う前記第４側板２４０と接する。これによって、前記遮断板３１０によって前記下部収納空間が密閉及び開放される。
【００３５】
このように、本発明の一実施例による折り畳み式包装箱４００は前記遮断板３１０を備えることで、内部空間を上下２つの収納空間に分離区画する。これによって、前記下部収納空間にはケーキやアイスクリームケーキのような主製品を収納し、キャンドルやナイフ、またはドライアイスのような付属品は主製品とは別に上部収納空間に収納することができる。また、前記上部収納空間は前記下部収納空間と上板部３００との間に空気層を形成し、前記下部収納空間の内部に外部の空気が直接流入されることを抑制する。その結果、前記下部収納空間の保冷効果を更に持続することができるため、前記下部収納空間に収納された製品を長時間低温に維持することができる。特に、アイスクリームケーキのような製品はドライアイスのような温度調節部材を上側に配置することにより冷気をより効率的に提供することができるため、前記折り畳み式包装箱４００は製品を最適の状態で包装及び保管することができる。
【００３６】
また、本発明の折り畳み式包装箱４００は折り畳み方式によって組み立てられるため、分解と組み立てが容易で、摺綴保管が容易である。
前記上部収納空間に収納される製品は前記遮断板３１０によって支持され、前記下部収納空間に収納される製品は前記底板部１００によって支持される。図３に示したように、前記遮断板３１０において製品を支持する部分は空中に浮いている状態で配置されるため、前記上部収納空間に収納された製品の重さによって前記遮断板３１０が下に垂れる恐れがある。これを防止するために、前記側板部２００の結合片２５０は係溝２５２を備え、前記遮断板３１０は前記係溝２５２に挿入される係突起３１４を備える。図４に示したように、前記係突起３１４は前記係溝２５２に挿入されて前記遮断板３１０の位置を固定するが、これによって前記遮断板３１０が下に垂れることを防止する。
【００３７】
このように、本発明の一実施例による折り畳み式包装箱４００は別途の接着部材なしに遮断板３１０の位置を安定的に固定することができるため、組み立て性及び組み立て効率が向上し、製品の包装時間を短縮することができる。
【００３８】
前記遮断板３１０が前記底板部１００と向き合うように組み立てられると、前記外部上板３４０が前記遮断板３１０の上側に組み立てられる。前記外部上板３４０は前記遮断板３１０と向き合うように配置され、前記第４側板２４０の上端部から折曲可能に延長される。前記外部上板３４０は前記上部収納空間を密閉及び開放するために一端部に差し込み片３４２を備えるが、前記差し込み片３４２は組み立ての際に下側に折曲されて前記上部収納空間の中に差し込まれる。前記上部収納空間に収納される製品は、前記外部上板３４０の開閉を介して前記上部収納空間に搬入及び搬出される。
【００３９】
一方、前記上板部３００は第１内部上板３２０、取っ手片３２２、及び第１放熱片３４４を更に備える。
詳しくは、前記第１内部上板３２０は前記第１側板２１０の上端部から折曲可能に延長され、組み立ての際に前記外部上板３４０と前記遮断板３１０との間に配置される。前記第１内部上板３２０は前記遮断板３１０と向き合うように配置され、前記上部収納空間の温度を維持するために前記上部収納空間を密閉する。
【００４０】
前記取っ手片３２２は前記第１内部上板３２０の一部が切開されて形成され、前記第１内部上板３２０と連結された部分が折曲可能に備えられる。前記取っ手片３２２は前記折り畳み式包装箱４００の外部に引き出されない場合、前記第１内部上板３２０から切開された部分が前記第１内部上板３２０に差し込まれる。
【００４１】
前記第１放熱片３４４は前記外部上板３４０の一部が切開されて形成され、前記外部上板３４０と連結された部分が折曲可能に備えられて開閉できる。この際、前記取っ手片３２２は前記第１放熱片３４４の開放を介して外部に引き出される。
【００４２】
一方、前記遮断板３１０は前記外部上板３３４０と前記第１内部上板３２０との間に介在され、前記遮断板３１０の位置を固定する固定片３１６を更に備える。前記固定片３１６は前記遮断板３１０の第２端部から延長され、図３に示したように、前記第１内部上板３２０の上面と向き合うように折曲されて前記第１内部上板３２０と前記外部上板３４０との間に差し込まれる。これによって、前記遮断板３１０の位置が更に堅固に固定される。
【００４３】
また、前記上板部３００は第２内部上板３３０と第２放熱片３２２を更に備える。
前記第２内部上板３３０は前記第３側板２３０の上端部から折曲可能に延長され、組み立ての際に前記第１内部上板３２０と前記外部上板３４０との間に配置されて前記上部収納空間を密閉する。
【００４４】
前記第２放熱片３３２は前記第１放熱片３４４に対応する位置に備えられ、前記第２内部上板３３０の一部分が切開されて形成される。前記第２放熱片３３２は前記第２内部上板３３０と連結された部分が折曲可能に備えられて開閉できる。この際、前記取っ手片３２２は前記第２放熱片３３２の開放を介して外部に引き出される。
【００４５】
図４乃至図６を参照すると、前記上板部３００は、図４に示したように前記遮断板３１０が先に組み立てられる。次に、図５に示したように前記第１上板３２０が前記遮断板３１０の上側に組み立てられ、図６に示したように前記第２内部上板３３０が前記第１内部上板３２０の上側に組み立てられる。この際、前記遮断板３１０の固定片３１６は、前記第２内部上板３３０の上側から前記側板部２００の長さ方向と同じ方向に突出されて位置する。
【００４６】
図２乃至図４を参照すると、次に、前記外部上板３４０が前記固定板３１６と共に折曲されて前記第２内部上板３３０と向き合うようになり、前記外部上板３４０の差し込み片３４２が前記遮断板３１０の第１端部と前記第１及び第２内部上板３２０、３３０との間に差し込まれて、図２に示したような組み立て状態になる。この際、前記遮断板３１０の固定片３１６は、前記第２内部上板３３０の上面と向き合うように折曲されて前記外部上板３４０と前記第２内部上板３３０との間に介在される。つまり、前記遮断板３１０の固定片３１６は前記外部上板３４０が前記収納空間を密閉する前までは底板部１００と垂直な方向に立っているが、前記外部上板３４０に備えられた前記差し込み片３４２が組み立ての際に下側に折曲されて前記上部収納空間の中に差し込まれる際、前記外部上板３４０と前記第２内部上板３３０との間に自動的に介在されて底板部１００と水平方向に折り曲げられて固定されることで、前記遮断板３１０が下方に垂れないように固く固定する役割をする。
【００４７】
図２に示した前記折り畳み式包装箱４００は、積載に容易なために前記取っ手片３２２が外部に引き出されないように組み立てられた状態を示す。以下、図面を参照して、前記取っ手片３２２が外部に引き出されるように前記折り畳み式包装箱４００を組み立てる過程について説明する。
【００４８】
図７は図１に示した折り畳み式包装箱を組み立てる他の一例を説明する概略的な斜視図であり、図８及び図９は図７に示した折り畳み式包装箱の組み立て過程を説明する斜視図である。
【００４９】
図７及び図８を参照すると、本発明の一実施例による折り畳み式包装箱４００は、図７に示したように前記第１内部上板３２０（図１を参照）に差し込まれた前記取っ手片３２２が外部に引き出されるように組み立てられ、使用者の把持を容易にする。
【００５０】
前記取っ手片３２２を外部に引き出すための組み立て過程は以下のようである。まず、前記外部上板３４０を開放していない状態で前記外部上板３４０に差し込まれている第１放熱片３４４とそのすぐ下に位置する前記第２放熱片３３２を重なった状態で共に開放する。これによって、図８に示したように前記第２放熱片３３２のすぐ下に位置した前記取っ手片３２２が外部に露出される。この際、前記第１及び第２放熱片３４４、３３２はドア方式に開放され、使用者は前記第１放熱片３４４に形成された第１把持孔３４６と前記第２放熱片３３２に形成された第２把持孔３３４を利用して、前記第１放熱片３４４と前記第２放熱片３３２を容易に把持することができる。
【００５１】
次に、図９に示したように、前記取っ手片３３２を前記第１及び第２放熱片３４４、３３２が開放されて形成された孔を介して外部に引き出す。次に、取っ手片３２２が外部に引き出された状態で、前記第２放熱片３３２と前記第１放熱片３４４を同時に前記第２内部上板３３０と前記外部上板３４０にそれぞれ更に差し込む。その結果、前記折り畳み式包装箱４００が図７に示したように組み立てられる。この際、前記取っ手片３２２の一部分が前記第２内部上板３３０と前記第２放熱片３２２との間、前記外部上板３４０と前記第１放熱片３４４との間に位置する。
【００５２】
このように、本発明の一実施例による折り畳み式包装箱４００は、前記第１及び第２放熱板３４４、３３２を備えることで前記取っ手片３２２を外部に容易に引き出すことができ、前記取っ手片３３２が引き出された状態で前記外部上板３４０と前記第２内部上板３３０を密閉して、前記上部収納空間の放熱効率を向上する。これによって、ドライアイスのように冷気を提供する部材を前記上部収納空間に収納する場合、冷気を失うことを防止することができるため、前記折り畳み式包装箱４００はアイスクリームケーキのように温度に敏感な製品を最適の状態で保管することができる。
【００５３】
また、前記折り畳み式包装箱４００は組み立て方法によって前記取っ手片３２２の外部への引き出し可否を選択することができるため、図２に示したように前記折り畳み式包装箱４００を組み立てれば積載が容易であり、図７に示したように前記折り畳み式包装箱４００を組み立てれば使用者が容易に把持することができるため、運搬が容易である。更に、前記折り畳み式包装箱４００は使用者の把持のための別途の紐のような部材を追加に備える必要がないため、包装作業の効率を向上させ、放送時間を短縮する。
【００５４】
図１０は、本発明の他の実施例による折り畳み式包装箱を説明する概略的な展開図である。
図１０を参照すると、本発明の他の実施例による折り畳み式包装箱５００は、底板部１０１の構成を除いては図１に示した折り畳み式包装箱４００と同じ構成を有する。よって、以下、前記折り畳み式包装箱５００の構成に関する説明において、図１に示した折り畳み式包装箱４００と同じ構成要素に関しては参照符号を併記し、それに関する詳しい説明は省略する。
【００５５】
前記折り畳み式包装箱５００の底板部１０１は製品を支持する構成であって、図１０に示したように互いに分離切開された４枚の板を備えるが、前記４枚の板が互いに組み立てられて前記折り畳み式包装箱５００の底を形成する。
【００５６】
前記底板部１０１を組み立てる際、前記底板部１０１の４枚の板のうち側板部２００の第１側板２１０と第３側板２３０の下端部に連結された板が先に折り畳まれた後、折り畳まれた板の外部面に接着剤が塗布される。その上に、前記底板部１０１の残りの板、つまり、前記側板部２００の第２側板２２０と第４側板２４０の下端部に連結された板が互いに噛み合って覆われるが、これによって前記底板部１０１の組み立てが完了される。
【００５７】
前記では本発明の好ましい実施例を参照して説明したが、該当技術分野における熟練した当業者は下記特許請求の範囲に記載された本発明の思想及び領域から逸脱しない範囲内で本発明を多様に修正及び変更し得ることを理解できるはずである。
【符号の説明】
【００５８】
４００、５００：折り畳み式包装箱、１００、１０１：底板部、２００：側板部、２１０、２２０、２３０、２４０：側板、２５０：結合片、２５２：係溝、３００：上板部、３１０：遮断板、３１４：係突起、３１６：固定片、３２０：第１内部上板、３３０：第２内部上板、３２２：第２放熱片、３４０：外部上板、３４２：差し込み片、３４４：第１放熱片
【図１】
2017200841.tif 000003
【図２】
2017200841.tif 000004
【図３】
2017200841.tif 000005
【図４】
2017200841.tif 000006
【図５】
2017200841.tif 000007
【図６】
2017200841.tif 000008
【図７】
2017200841.tif 000009
【図８】
2017200841.tif 000010
【図９】
2017200841.tif 000011
【図１０】
2017200841.tif 000012
【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
製品を支持する底板部と、
前記底板部から折曲可能に垂直方向に延長され、係溝を備え、前記製品を収納するための収納空間を形成する側板部と、
前記側板部と一体に形成され、前記収納空間を開閉可能に備えられる上板部と、を含み、
前記上板部は、
前記底板部と向き合って、前記収納空間を下部収納空間と上部収納空間に分離し、前記係溝に挿入されて前記底板に向かって垂れることを防止するための係突起を備える遮断板と、
前記遮断板の上側から前記遮断板と向き合って、前記上部収納空間を開閉するために一端部に前記側板部の内側に差し込まれる差し込み片を備える外部上板と、
前記外部上板と前記遮断板との間に前記遮断板と向き合うように配置され、前記上部収納空間を密閉する第１内部上板と、
前記第１内部上板の一部分が切開されて形成され、前記第１内部上板と連結された部分が折曲可能に備えられた取っ手片と、
前記取っ手片を外部に引き出すために前記外部上板の一部分が切開されて形成され、前記外部上板と連結された部分が折曲可能に備えられて前記上部収納空間を開閉可能に備えられた第１放熱片と、
前記側板部から折曲可能に延長され、前記第１内部上板と前記外部上板との間に配置されて前記上部収納空間を密閉する第２内部上板と、
前記第１放熱片に対応する位置に備えられ、前記取っ手片を外部に引き出すために前記第２内部上板の一部分が切開されて形成され、前記内部上板と連結された部分が折曲可能に備えられて開閉可能な第２放熱片と、
前記側板部は、
それぞれ前記底板部から折曲可能に垂直方向に延長された第１、第２、第３、及び第４側板と、
前記第４側板の一側端部から折曲可能に延長され、前記係溝を備え、前記第１側板の内面に結合される結合片と、を含み、
前記第１内部上板と前記遮断板、及び前記外部上板は、それぞれ前記第１側板と前記第２側板、及び前記第４側板から折曲可能に延長され、
前記第１放熱片は、前記上部収納空間の温度を維持するために前記取っ手片が外部に引き出された状態で前記外部上板に更に差し込まれ、
前記遮断板は、前記遮断板の位置を固定するための固定片を更に備え、
前記第２放熱片は、前記上部収納空間の温度を維持するために、前記取っ手片が外部に引き出された状態で前記第２内部上板に更に差し込まれ、
前記固定片は、前記第２内部上板と前記外部上板との間に介在されて組み立てることができることを特徴とする折り畳み式の包装箱。
【請求項２】
前記遮断板は互いに向き合う第１及び第２端部が前記上部収納空間を形成するために上側に折曲されて配置され、
前記遮断板の第１端部は前記側板部と連結され、
前記遮断板の第２端部は前記差し込み片に対向して配置されることを特徴とする請求項１に記載の折り畳み式包装箱。
【手続補正２】
【補正対象書類名】明細書
【補正対象項目名】０００８
【補正方法】変更
【補正の内容】
【０００８】
本発明の実施例によると、前記第１放熱片は前記上部収納空間の温度を維持するために前記取っ手片が外部に引き出された状態で前記外部上板に更に差し込まれる。
本発明の実施例によると、前記遮断板は、前記遮断板の位置を固定するための固定片を更に備える。